(57)【要約】      （修正有）【課題】ディジタル・メディア・オブジェクトを販売および使用するための方法、ならびにこれに適した移動通信端末を提供する。【解決手段】メディア・オブジェクトがユーザの移動通信端末を用いてセンタに注文され、該メディア・オブジェクトが入手できるセンタが決めた時点に関する記載事項がセンタから該通信端末に送達され、該通信端末は記憶された時点に自動的にセンタと連絡を取り、センタから無線ネットワークを通じて該メディア・オブジェクトが移動通信端末に伝送される。該伝送されたメディア・オブジェクトはメディア再生モジュールを通じて適当なメディアによって再生される。メディア・オブジェクトのメディア・コンテンツは該通信端末への伝送の前に、暗号化されても良い。【選択図】図１
2010182294.tif 000002
【特許請求の範囲】
【請求項１】
ディジタル・メディア・オブジェクト（６）を注文および送達するための方法であって、
移動通信端末（１）によって、少なくとも１つのオブジェクト識別名を含むディジタル・メディア・オブジェクト（６）のためのオブジェクト注文が移動無線ネットワーク（２）を通じてセンタ（３）に送達され、
注文されたメディア・オブジェクト（６）が入手できるセンタ（３）が決めた時点に関する記載事項がセンタ（３）から通信端末（１）に送達され、
センタ（３）が決めた時点は通信端末（１）に記憶され、
通信端末（１）は記憶された時点に自動的にセンタ（３）と連絡を取り、
オブジェクト識別名に割り当てられたメディア・オブジェクト（６）は、センタ（３）から無線ネットワーク（２）を通じて通信端末（１）に送達されて、ここでメモリ（１２）に記憶され、
通信端末（１）のメディア再生モジュール（１３）が、記憶されたメディア・オブジェクト（６）の中に含まれるメディア・コンテンツ（６２）を適当なメディアを通じて再生する方法。
【請求項２】
メディア・オブジェクト（６）のメディア・コンテンツ（６２）が、通信端末（１）への伝送の前に、このメディア・オブジェクト（６）に割り当てられた第１鍵（７）によって暗号化されること、およびメディア・コンテンツ（６２）が、メディア再生モジュール（１３）による再生の前に、この第１鍵（７”）によって解読されることを特徴とする請求項１に記載の方法。
【請求項３】
前記第１通信端末（１）中に記憶されたメディア・オブジェクト（６）を、この第１通信端末（１）のユーザが選択して、第２の前記通信端末（１）に転送することができ、その際このメディア・オブジェクト（６）のメディア・コンテンツ（６２）は暗号化されたままであることを特徴とする請求項２に記載の方法。
【請求項４】
メディア・オブジェクト（６）に割り当てられた鍵（７）が、公開第２鍵（９）によって暗号化された状態で当該通信端末（１）に転送され、そこで専用第３鍵（９’）によって解読され、公開第２鍵（９）と専用第３鍵（９’）からなる鍵の対は、当該通信端末（１）のユーザに割り当てられることを特徴とする請求項２または３に記載の方法。
【請求項５】
個別に、または前記メディア・オブジェクト（６）に割り当てられた第１鍵（７）とともに、このメディア・オブジェクト（６）の使用条件（８）に関する記載事項も前記通信端末（１）に転送されることを特徴とする請求項４に記載の方法。
【請求項６】
メディア・オブジェクト（６）のメディア・コンテンツ（６２）を解読するために、このメディア・オブジェクト（６）に割り当てられた解読済みの第１鍵（７”）が保護されて通信端末（１）の解読モジュール（１４）に引き渡されることを特徴とする請求項４または５に記載の方法。
【請求項７】
メディア・オブジェクト（６）が、当該メディア・オブジェクト（６）を取り寄せることができる前記センタ（３）に関する記載事項を含むことを特徴とする請求項１から６のいずれか一項に記載の方法。
【請求項８】
メディア・オブジェクト（６）が、鍵サーバ（３’）に関する記載事項を含み、これによって暗号化された第１鍵（７’）を取り寄せることができることを特徴とする請求項２から７のいずれか一項に記載の方法。
【請求項９】
当該通信端末（１）の鍵取り寄せモジュール（１２２）が、暗号化された第１鍵（７’）を自動的に鍵サーバ（３’）から要求し、受け取り、記憶することを特徴とする請求項８に記載の方法。
【請求項１０】
メディア・オブジェクト（６）が、メディア・オブジェクト（６）のメディア・コンテンツ（６２）に関する記載事項、例えば価格表、題名記載事項、再生継続時間、または再生見本を含むことを特徴とする請求項１から９のいずれか一項に記載の方法。
【請求項１１】
メディア・オブジェクト（６）のメディア・コンテンツ（６２）の再生について支払うために、前記メディア・オブジェクト（６）に割り当てられた金額が、前払いされて当該通信端末（１）のチップカード（５）に記憶された金額（５１）から課金されることを特徴とする請求項１から１０のいずれか一項に記載の方法。
【請求項１２】
メディア・オブジェクト（６）のメディア・コンテンツ（６２）の再生回数が当該通信端末（１）においてカウントされること、および前記回数がライセンス・サーバ（４）に伝送されることを特徴とする請求項１から１１のいずれか一項に記載の方法。
【請求項１３】
無線ネットワーク（２）を通じて拡張データを受信することができ、少なくとも１つのプロセッサ（１１）およびこれに接続された記憶手段（１２）を含む通信端末（１）において、少なくとも１つの記憶手段（１２）が、無線ネットワーク（２）を通じて受信されるディジタル・メディア・オブジェクト（６）を記憶できるような大きさであり、通信端末（１）が、移動無線ネットワーク（２）を通じて通信できるようになっており、通信端末（１）はプログラム式注文モジュール（１２１）を含み、このモジュールは、少なくとも１つのオブジェクト識別名を含むディジタル・メディア・オブジェクト（６）のオブジェクト注文を、移動無線ネットワーク（２）を通じてセンタ（３）へ送達できるように構成され、通信端末（１）はメディア再生モジュール（１３）を含み、このモジュールは、ディジタル・メディア・オブジェクト（６）の１つに含まれるメディア・コンテンツ（６２）を適当なメディアを通じて再生するように構成され、
注文モジュール（１２１）が、センタ（３）によって決定されて通信端末（１）に送達された、注文されたメディア・オブジェクト（６）が入手可能になる時点を、受け取って記憶するように構成されていること、および
注文モジュール（１２１）が、記憶された時点に自動的にセンタ（３）と連絡を取り、オブジェクト識別名に割り当てられた、センタ（３）から無線ネットワーク（２）を通じて通信端末（１）に送達されたメディア・オブジェクト（６）を、記憶手段（１２）に記憶するように構成されていること
を特徴とする通信端末（１）。
【請求項１４】
解読モジュール（１４）を含み、この解読モジュールは、メディア・オブジェクト（６）の暗号化されたメディア・コンテンツ（６２’）を、このメディア・オブジェクト（６）に割り当てられた第１鍵（７）によって解読するように構成されていることを特徴とする請求項１３に記載の通信端末（１）。
【請求項１５】
転送機能を含み、この転送機能は、記憶されたメディア・オブジェクト（６）を第２移動通信端末（１）に転送し、この場合、このメディア・オブジェクト（６）のメディア・コンテンツ（６２’）は暗号化されたままであることを特徴とする請求項１４に記載の通信端末（１）。
【請求項１６】
鍵取り寄せモジュール（１２２）を含み、このモジュールは、前記メディア・オブジェクト（６）に割り当てられた鍵（７）を移動無線ネットワーク（２）を通じて鍵サーバ（３’）から取り寄せるように構成されており、また通信端末（１）は第２解読機能（５９）を含み、この解読機能（５９）は、公開第２鍵（９）によって暗号化される受信された第１鍵（７’）を専用第３鍵（９’）を用いて解読するように構成されており、公開第２鍵（９）と専用第３鍵（９’）からなる鍵の対は通信端末（１）のユーザに割り当てられることを特徴とする請求項１４または１５に記載の通信端末（１）。
【請求項１７】
鍵取り寄せモジュール（１２２）が、個別に、またはメディア・オブジェクト（６）に割り当てられた第１鍵（７）とともに、このメディア・オブジェクト（６）の使用条件（８）に関する記載事項も取り寄せるように構成されていることを特徴とする請求項１６に記載の通信端末（１）。
【請求項１８】
第２解読機能（５９）が、解読された第１鍵（７”）を保護した状態で解読モジュール（１４）に引き渡すように構成されていることを特徴とする請求項１６または１７に記載の通信端末（１）。
【請求項１９】
鍵取り寄せモジュール（１２２）が、暗号化された第１鍵（７’）を、メディア・オブジェクト（６）中に含まれる鍵サーバ（３’）に関する記載事項に基づいて、鍵サーバ（３’）から自動的に取り寄せるように構成されていることを特徴とする請求項１６から１８のいずれか一項に記載の通信端末（１）。
【請求項２０】
決済モジュール（１２３）を含み、この決済モジュール（１２３）は、メディア・オブジェクト（６）のメディア・コンテンツ（６２）を再生する際に、このメディア・オブジェクト（６）に割り当てられた金額を、前払いされて通信端末（１）のチップカード（５）に記憶された金額（５１）から課金するように構成されていることを特徴とする請求項１３から１９のいずれか一項に記載の通信端末（１）。
【請求項２１】
ライセンス・モジュール（５２）を含み、このライセンス・モジュール（５２）は、メディア・オブジェクト（６）のメディア・コンテンツ（６２）の再生回数を通信端末（１）においてカウントし、この回数をライセンス・サーバ（４）に送達するように構成されていることを特徴とする請求項１３から２０のいずれか一項に記載の通信端末（１）。
【請求項２２】
記憶手段（１２）が少なくとも１つのメモリ領域をチップカード（５）の上に含むこと、および専用第３鍵（３’）がこの確実なメモリ領域に記憶されていることを特徴とする請求項１３から２１のいずれか一項に記載の通信端末（１）。
【発明の詳細な説明】
【技術分野】
【０００１】
本発明は、メディア・オブジェクトを注文および送達するための方法およびそれに適した設備に関する。本発明は特に、ディジタル・メディア・オブジェクトを注文および送達するための方法およびそれに適した設備に関する。
【背景技術】
【０００２】
特にインターネットの普及によって、例えばソフトウェア・メディア・コンテンツ、テキスト・メディア・コンテンツ、グラフィック・メディア・コンテンツ、画像メディア・コンテンツ、オーディオ・メディア・コンテンツ、ビデオ・メディア・コンテンツ、または組合せマルチメディア・コンテンツを有するディジタル・メディア・オブジェクトを、インターネットを通じて提供し、インターネットからダウンロードしてパソコンに一時的に記憶し、これらを例えばコンパクト・ディスクなどのデータ・キャリアによって適当な例えば移動式メディア再生装置に転送し、このメディア再生装置によって再生し、またはパソコンがこれに適している場合にはパソコンによってこれを再生することが、ますます人気を高めている。ディジタル・メディア・オブジェクトのために必要な伝送時間と記憶容量を減らすために、メディア・オブジェクトは圧縮された形で記憶および伝送し、再生の前またはその間に解凍することが典型的である。ディジタル・メディア・オブジェクトの記憶、それぞれの圧縮／解凍のための規格、例えばＭＰＥＧ−３（Ｍｏｖｉｎｇ  Ｐｉｃｔｕｒｅ  Ｅｘｏｅｒｔ  Ｇｒｏｕｐ）が使用可能であり、これは今後もさらに発展することが期待される。メディア・オブジェクトの再生に確かに興味を持つであろう多くのユーザは、インターネットからパソコンにメディア・オブジェクトを購入するために自分が指定されること、およびメディア・オブジェクトを再生するためには、扱い易い移動可能なメディア再生装置によって先ずパソコンからこのメディア再生装置に転送しなければならないことを、大きな制限として感じる。
【０００３】
特許出願ＥＰ８０４０１２では、マルチメディア受信のためのマルチメディア端末と方法が記載されており、これによって、ＭＰＥＧデータまたはＤＡＢデータ（Ｄｉｇｉｔａｌ  Ａｕｄｉｏ  Ｂｒｏａｄｃａｓｔｉｎｇ）などのマルチメディアを、特に無線ネトワークを通じて受信し、ユーザに再生することができる。ＥＰ８０４０１２に記載のマルチメディア端末は、移動無線電話などの双方向通信端末を含み、これを用いてマルチメディア・プログラムを、通信ネットワークを通じて注文してマルチメディア端末にロードすることができる。ＥＰ８０４０１２に記載の教示では、需要が多い場合には、注文されたマルチメディア・プログラムの引渡しのために必要な資源、例えば通信ネットワークおよび／または所轄のサーバは過負荷となり、ユーザにきちんとサービスすることがもはやできなくなる恐れがある。
【先行技術文献】
【特許文献】
【０００４】
【特許文献１】国際公開第９９／０９７１８号
【特許文献２】特開平１０−１９８６１０号公報
【特許文献３】特開平１０−２６９２９０号公報
【特許文献４】特開平１０−２６９２８９号公報
【特許文献５】特開平１１−９６２５８号公報
【特許文献６】特開平１０−１５４１８５号公報
【発明の概要】
【発明が解決しようとする課題】
【０００５】
本発明の課題は、特に上述の欠点のない、メディア・オブジェクトの注文および送達のための新しいさらにすぐれた方法とこれに適した設備を提案することである。
【発明の効果】
【０００６】
本発明により、この目的は特に独立請求項の要素によって達成される。その上に、さらなる有利な実施形態が従属請求項および説明から明らかになる。
例えばソフトウェア・メディア・コンテンツ、テキスト・メディア・コンテンツ、グラフィック・メディア・コンテンツ、画像メディア・コンテンツ、オーディオ・メディア・コンテンツ、ビデオ・メディア・コンテンツ、または組合せマルチメディア・コンテンツを有するディジタル・メディア・オブジェクトを、あるセンタから無線ネットワーク、例えば移動電話用無線ネットワーク、ＤＡＢ無線ネットワーク（Ｄｉｇｉｔａｌ  Ａｕｄｉｏ  Ｂｒｏａｄｃａｓｔｉｎｇ）、衛星ベースの無線ネットワーク、またはその他の無線ネットワークを通じて、移動体通信端末に転送し、ここでメモリの中にディジタル・メディア・オブジェクトを記憶する。またこの通信端末のメディア再生モジュールはメディア・オブジェクトの中に含まれたメディア・コンテンツを適当なメディアを通じて、例えば電気音響変成器によって音波として、またはディスプレイによって光波として再生する。ディジタル・データをセンタから受信することができる通信端末とメディア再生モジュールとの組合せは、移動するユーザがメディア・オブジェクトを受信して再生することができ、この場合パソコンを指定する必要はなく、またメディア・オブジェクト自体をさまざまな装置の間で伝送する必要がないという利点を有する。
【０００７】
ユーザが少なくとも１つのメディア・オブジェクトを少なくとも１つのセンタから注文し、このユーザは通信端末によって、少なくとも１つのオブジェクト識別名を包含するオブジェクト注文を移動無線ネットワーク、例えばＧＳＭネットワーク、ＵＭＴＳネットワーク、またはその他の移動ネットワークを通じてセンタに伝送し、その際、オブジェクト識別名に割り当てられたメディア・オブジェクトはセンタから通信端末へ伝送される。これは、ユーザが自分の通信端末に記憶されたメディア・オブジェクトを再生できるのみならず、その上になおも自分から目的を持って自発的に所望したメディア・オブジェクトを再生のために取り寄せることができるという利点を有する。
【０００８】
上述の目的は、本発明によれば、特にディジタル・メディア・オブジェクトのためのオブジェクト注文がセンタにおいて受け取られ、どの注文メディア・オブジェクトがどのセンタ決定時点に入手できるかについての記載事項が、当該通信端末に送達されること、および、当該通信端末は決定された時点に自動的にセンタと連絡を取り、この決定された時点に転送可能なメディア・オブジェクトをセンタから取り寄せることによって達成される。これは、センタがメディア・オブジェクトを伝送する際に必要な資源の満載を計画できるという利点を有する。
【０００９】
メディア・オブジェクトのメディア・コンテンツが、通信端末への伝送の前に、第１のこのメディア・オブジェクトに割り当てられた鍵によって暗号化され、再生の前にこの第１鍵によって再び解読されることは好ましい。これによって、不当なユーザは当該のメディア・オブジェクトを不当に再生することができず、この場合、個別の第１鍵のメディア・オブジェクトへの割当てが、各メディア・オブジェクトの使用の管理を可能にし、各メディア・オブジェクトについてユーザに、例えば相応の支払いに対して鍵を自由に使用できるようにする。
【００１０】
ある変形実施形態では、第１通信端末に記憶されたメディア・オブジェクトをこの第１通信端末のユーザが選択して、第２通信端末に転送することができ、この場合に前述のメディア・オブジェクトのメディア・コンテンツは暗号化されたままである。これは、不等なユーザは当該メディア・オブジェクトをこのメディア・オブジェクトに割り当てられた鍵なしでは再生できずに、ユーザ間での間接的な普及の可能にする。第１通信端末から第２通信端末への転送は、有線または無線のインターフェイスを通じて、例えば赤外線インターフェイス、例えば高速赤外線（ＨＳＩＲ）インターフェイスまたはＩｒＤＡインターフェイス（Ｉｎｆｒａｒｅｄ  Ｄａｔａ  Ａｓｓｏｃｉａｔｉｏｎ）、誘導インターフェイス、例えば無線周波数識別（ＲＦＩＤ）インターフェイス、ホームＲＦ（Ｒａｄｉｏ  Ｆｒｅｑｕｅｎｃｙ）インターフェイス、欧州ディジタル・コードレスフォン（ＤＥＣＴ）インターフェイスまたはその他のコードレス遠隔通信システム（ＣＴＳ）インターフェイス、または高周波無線インターフェイス、例えばいわゆる「ブルートゥース・インターフェイス」を通じて行われる。
【００１１】
第１の上述のメディア・オブジェクトに割り当てられた鍵が、公開第２鍵によって通信端末に転送され、そこで専用第３鍵によって解読され、この場合、公開第２鍵と専用第３鍵から成る一対の鍵がその都度通信端末の当該ユーザに割り当てられることは好ましい。これによって、その都度メディア・オブジェクトに割り当てられた鍵を安全に正当なユーザに転送することができ、このユーザは、暗号化のために使用される公開第２鍵に付属する専用第３鍵を自由に使用する。
【００１２】
ある変形実施形態では、第１のメディア・オブジェクトに割り当てられた鍵とは個別にまたは共に、このメディア・オブジェクトのための使用条件に関する記載事項もまた通信端末に転送される。これによって、この鍵により直接に使用権と価格表もまた、例えば当該メディア・オブジェクトの１回および／または多数回しかし時間的に制限された再生のためのライセンス料金および／または価格表、場合によっては限られた期間または限られた再生回数に関する記載事項も共に転送することができる。
【００１３】
ある変形実施形態では、メディア・オブジェクトのメディア・コンテンツを解読するために、前記メディア・オブジェクトに割り当てられた解読された第１鍵が安全に通信端末の解読モジュールに渡される。すなわち、通信端末における解読モジュールの実施と完成に応じて処置が取られ、これによって、解読された第１鍵を解読モジュールへの移送の際に不当に読むことは不可能である。
【００１４】
メディア・オブジェクトがメディア・コンテンツに追加的に解読されていないオブジェクト情報を含むことは好ましく、この情報は、前記通信端末によって移動無線ネットワークを通じてセンタから取り寄せて、通信端末のディスプレイに表示することができ、この際、通信端末のユーザはオブジェクトの注文のために少なくとも１つのメディア・オブジェクトを決定し、そこでユーザは通信端末の操作要素によって対応するオブジェクト情報を表示されたオブジェクト情報のリストから選択する。解読されていないオブジェクト情報は、例えばメディア・オブジェクトに関する価格表、メディア・オブジェクトの標識、例えば楽曲またはビデオの題名、メディア・オブジェクトの再生時間、メディア・オブジェクトの短い再生試供品、メディア・オブジェクトの１つまたは複数の解説者および／または作者、およびメディア・オブジェクトのオブジェクト識別名を含む。
【００１５】
メディア・オブジェクトのオブジェクト情報が、このメディア・オブジェクトを入手することができるセンタに関する記載内容を含むことは好ましい。この記載内容を通信端末から、例えば当該のセンタと自動的に連絡をとるために使用することができる。
【００１６】
メディア・オブジェクトのオブジェクト情報が、符号化された第１鍵を入手可能にする鍵サーバに関する記載内容を含むことは好ましい。これは、鍵が通信端末を通じて自動的に鍵サーバから入手でき、鍵サーバは例えば上記のセンタにおいて、または個別に実施される。
【００１７】
ある変形実施形態では、メディア・オブジェクトのメディア・コンテンツの再生に対する支払いのために、このメディア・オブジェクトに割り当てられた金額が、前払いされて通信端末のチップカード例えばＳＩＭカード（加入者識別モジュール）に記憶された金額に借方記入される。
【００１８】
ある変形実施形態では、メディア・オブジェクトのメディア・コンテンツの再生回数が通信端末においてカウントされ、この調査された回数はライセンス・サーバに転送され、このライセンス・サーバは例えば上記のセンタにおいて、または個別に実施される。これは、これによって再生回数に依存するライセンス料金を計算できるという利点を有する。
【００１９】
ある変形実施形態では、上記の専用第３鍵が通信端末のチップカードに記憶され、これは、当該ユーザの専用鍵を通信端末から遠ざけることができるという利点を有する。
【図面の簡単な説明】
【００２０】
【図１】通信端末が無線ネットワークを通じてセンタと接続されている、メディア再生モジュールを有する通信端末を概略的に示すブロック図である。
【図２】第１鍵によるメディア・オブジェクトの暗号化と解読、ならびに公開第２鍵によるこの第１鍵の暗号化、および専用第３鍵によるこの第１鍵の解読を概略的に示す流れ図である。
【発明を実施するための形態】
【００２１】
次に、本発明の一実施形態を例を用いて説明する。実施形態の例は添付の図面に示されている。
【００２２】
図１において、参照記号１は通信端末を示し、これは適当なラジオ・モジュール１８によって、例えば移動電話用の移動無線ネットワーク、例えばＧＳＭメットワーク、ＵＭＴＳネットワークまたは別の移動無線ネットワーク、ＤＡＢ無線ネットワーク（ディジタル音声ネットワーク）、衛星ベースの無線ネットワークまたは別の無線ネットワークを含む無線ネットワーク２を通じて、ディジタル・データ、特にディジタル・メディア・オブジェクト、例えばソフトウェア・コンテンツ、テキスト・コンテンツ、グラフィック・コンテンツ、画像コンテンツ、音声コンテンツ、ビデオ・コンテンツ、または組合せマルチメディア・コンテンツを有するディジタル・メディア・オブジェクトを、センタ３から受信して、適当なディジタル・データ用のメモリ１２に、例えばＲＡＭ（Ｒａｎｄｏｍ  Ａｃｃｅｓｓ  ｍｅｍｏｒｙ）に、ハード記憶ディスク上に、コンパクト・ディスク上に、または別の書込み可能なデータ・キャリア上に記憶することができる。書込み可能なデータ・キャリアはチップカードの形で、例えば拡張された記憶領域を有するＳＩＭカードまたはこの目的のために適したチップカードでも実施することができ、このカードを例えば撮影個所を通じて遠隔可能に通信端末１と接続することができる。
【００２３】
ここで、センタ３は無線ネットワーク２に直接接続されるべきではなく、センタは全く他の図示されていない装置を通じて無線ネットワーク２に接続できることに言及しなければならない。センタ３は例えば、直接または間接に無線ネットワーク２を通じてメディア・オブジェクトを通信端末１に転送するために、必要なソフトウェア構成部分およびハードウェア構成部分をいつでも使える商習慣上の通信サーバである。例えばセンタ３は、ＤＡＢ送信機（Ｄｉｇｉｔａｌ  Ａｕｄｉｏ  Ｂｒｏａｄｃａｓｔｉｎｇ）を含み、またはＤＡＢ送信機への入口を有し、またはセンタ３は短メッセージ・サービス・センタ（Ｓｈｏｒｔ  Ｍｅｓｓａｇｅ  Ｓｅｒｖｉｃｅ  Ｃｅｎｔｅｒ、ＳＭＳＣ）を含み、または短メッセージ・サービス・センタへの入口を有し、これを通じてプログラムを伴うディジタル・データ、それぞれの短メッセージ、例えばＳＭＳ短メッセージまたはＵＳＳＤ短メッセージを、通信端末１の対応するラジオ・モジュール１８に転送することができる。センタ３は、センタがラジオ・モジュール１８のデータを例えば短メッセージの中に、例えばＳＭＳ短メッセージまたはＵＳＳＤ短メッセージの中に、例えば前述の短メッセージ・サービス・センタを通じて受け取ることができる。センタ３は例えばインターネットにも接続可能であり、インターネットにおいて通信端末１は移動無線ネットワーク、例えばＧＳＭネットワークまたはＵＭＴＳネットワークを通じて、インターネット・サービス・プロバイダを介して機会を使用することができる。後で説明する鍵サーバ３′およびライセンス・サーバ４を、センタ３においてまたは個別に、センタ３について説明したものと同様に実行することができる。
【００２４】
図１に示すように、通信端末１は、少なくとも１つのプロセッサ１１およびデータを具備する処理手段１１を含み、プロセッサ１１は、ラジオ・モジュール１８と前記のメモリ１２とに接続され、データは例えば受信機１８から受信されるデータで、このデータをメモリ１２にファイルし、その都度メモリ１２に記憶されたデータ、特にディジタル・メディア・オブジェクトを取り出して処理することができる。プロセッサ１１はメモリ１２の中で、後で説明するプログラム式ソフトウェア・モジュール１２１、１２、１２３、１２４も取り出して、このプログラム式ソフトウェア・モジュール１２１、１２、１２３、１２４を実行することができる。
【００２５】
プロセッサ１１はさらに、操作エレメント１５例えばキーボードおよびディスプレイ１６例えばＬＣＤディスプレイ（ｌｉｑｕｉｄ  Ｃｒｙｓｔａｌ  Ｄｉｓｐｌａｙ）に接続され、ユーザから命令およびデータを受け取り、あるいはデータ、情報、特にメディア・オブジェクトの視覚メディア・コンテンツ、およびユーザのためのンストラクションを見えるように表示する。
【００２６】
図２に示すように、メディア・オブジェクト６は上述のように、メディア・コンテンツ６２とオブジェクト情報６１を含む。オブジェクト情報６１は、当該メディア・オブジェクト６についての記載事項、例えばメディ・オブジェクト６に関する価格表、メディア・オブジェクト６の表示、例えば楽曲またはビデオの題名、メディア・オブジェクト６のオブジェクト識別名、メディア・オブジェクト６のメディア形式、メディア・オブジェクト６の再生期間、メディア・オブジェクト６の短い暗号化されていない再生見本、またはメディア・オブジェクト６の１つまたは複数の解説者および／または作者を含む。オブジェクト情報６１はその上に、当該メディア・オブジェクト６を引き合いに出すことができる記載事項、例えば呼出し番号、当該センタ３のネットワーク・アドレスまたはＵＲＬアドレス（Ｕｎｉｖｅｒｓａｌ  Ｒｅｓｏｕｒｃｅ  Ｌｏｃａｔｏｒ）を含む。メディア・オブジェクト６のメディア・コンテンツが圧縮形、例えばＭＰＥＧ−３（Ｍｏｖｉｎｇ  Ｐｉｃｔｕｒｅ  Ｅｘｐｅｒｔ  Ｇｒｏｕｐ）書式または別の適当な書式で、好ましくは当該メディア・オブジェクト６に割り当てられた第１鍵によって暗号化され、通信端末１に転送され、そこで記憶されることは好ましい。メディア・オブジェクト６への第１鍵７の割当ては、こうして各メディア・オブジェクト６のメディア・コンテンツ６２を適当な鍵によって暗号化できるという利点を有する。メディア・オブジェクト６は、例えばデータバンクまたはセンタ３のファイル・サーバに既に圧縮されて暗号化されたメディア・コンテンツに記憶され、この際、メディア・オブジェクトに割り当てられた第１鍵７は上述の鍵サーバ３′にアクセスできるように記憶され、鍵サーバ３′はプログラム式ソフトウェア・モジュールとして、センタ３のサーバまたは個別のサーバで実行される。その上に上述のオブジェクト情報６１が、当該メディア・オブジェクト６を解読するための第１鍵７を引き合いに出すことができる記載事項、例えば呼出し番号、当該鍵センタ３′のネットワーク・アドレスまたはＵＲＬアドレス（Ｕｎｉｖｅｒｓａｌ  Ｒｅｓｏｕｒｃｅ  Ｌｏｃａｔｏｒ）を含むことは好ましい。
【００２７】
図２に示すように、メディア・オブジェクト６のメディア・コンテンツ６２は、第１のメディア・オブジェクト６に割り当てられた鍵７、および例えばプログラム式ソフトウェア機能としてセンタ３で実行される第１暗号化機能７０とによって、暗号化される。暗号化されたメディア・コンテンツ６２′は上述のように通信端末１に転送される。第１鍵７は、例えば当該ユーザに割り当てられた公開第２鍵９と専用第３鍵９′とからなる鍵の対によって安全に転送される。第１鍵７は、例えば第２暗号化機能９０、例えばセンタ３または鍵サーバ３′におけるプログラム式ソフトウェア機能を通じて、公開第２鍵９によって暗号化される。暗号化された第１鍵７′は、例えば上記の無線ネットワーク２を通じて通信端末１に転送され、ここで第２解読機能５９を通じて専用第３鍵９′によって解読される。暗号化された第１鍵７′または解読された第１鍵７″は、通信端末１において例えば通信端末１のチップカード５に記憶され、チップカード５上には図１に示すメモリ１２の少なくとも一部分が存在し、または後述の解読モジュール１４では外から見えない。解読された第１鍵７″が通信端末１特にチップカード５に記憶されている場合には、このために必要な記憶領域はルーザーには読めないはずである。チップカード５は例えばＳＩＭカード（加入者識別モジュール）であり、この上に例えば１つ（または複数）の専用第３鍵９′も記憶される。暗号化された第１鍵７′、または解読された第１鍵７″、および専用第３鍵９′のチップカード５への記憶は、このチップカード５を通信端末１から離すことによって、通信端末１の中に記憶されたメディア・オブジェクト６の暗号化されたメディア・コンテンツ６２′を不当なユーザは解読および再生ができないという利点を有する。第２解読機能５９は例えば１つのプログラム式ソフトウェア機能であり、これは例えばチップカード５に記憶されてプロセッサ１１例えばチップカード５上のプロセッサを通じて実行されるソフトウェア機能である。しかし第２解読機能５９を解読モジュール１４の中に統合することもできる。公開第２鍵９は例えばＳＩＭカードなどのチップカード５に記憶され、通信端末１の照会にあたってその都度センタ３または鍵サーバ３′に転送される。公開第２鍵９もセンタ３あるいは鍵サーバ３′の首唱によってチップカード５で読み取られ、または場合によってはＴＴＰサ−バー（Ｔｒｕｓｔｅｄ  Ｔｈｉｒｄ  Ｐａｒｔｙ）によって取り寄せることができる。
【００２８】
メディア・オブジェクト６のメディア・コンテンツ６２′の解読は、解読モジュール１４において実施され、このモジュールは、圧縮された形で暗号化されて転送され記憶されたメディア・コンテンツ６２′を、当該メディア・オブジェクト６に割り当てられた解読された第１鍵７″によって解読し、解読されたメディア・コンテンツをメディア再生モジュール１３にさらに導く。メディア再生モジュール１３は、解読されたメディア・オブジェクトを解凍し、メディア形式に応じてその中に含まれるディジタル・データを場合によってはアナログ信号に変換する機能を有し、このアナログ信号を例えばラウドスピーカまたはヘッドホンなどの電子音響変換機１７にかけることができる。解読モジュール１４およびメディア再生モジュール１３は、例えばプログラム式ソフトウェア・モジュールとしてこれに適した信号プロセッサで、または統合されたスイッチ・ネットワークとして個別または共通チップで実行することができる。ここで、電子音響変換機１７は単に変換の例として理解すべきこと、およびメディア・オブジェクト６のメディア・コンテンツ６２はそのメディア形式に応じて適切なメディアに関するさまざまな方法で再生できることに言及すべきである。こうして、例えばテキスト、グラフィック、画像、ビデオ、視覚的現実シーケンスなどのメディア・オブジェクトをディスプレイ１６に表示し、光波によって再生することができ、この際、例えば複合マルチメディア・オブジェクトを多くのメディアを通じて光波および音波によって再生することができる。
【００２９】
図２にはさらに、追加的に第１鍵７によって、当該鍵７に割り当てられた当該メディア・オブジェクト６のための使用条件８に関する記載内容も提供でき、この使用条件は例えば鍵７と共に暗号化または解読された状態で通信端末１に転送できることが示されている。さらにこの使用条件８に関する記載内容を、対応する暗号化された第１鍵７′または解読された第１鍵７″とともに記憶することができる。使用条件８は例えば、当該メディア・オブジェクト６の一回および／または複数回であるが時間的に限られた再生に関するライセンス料金および／または価格表を、場合によっては限られた期間または限られた再生回数に関する記載事項とともに包含する。
【００３０】
上述の図１に示す注文モジュール１２１は、通信端末１のユーザがセンタ３からメディア・オブジェクト６に関する暗号化されていないオブジェクト情報６１を取り出し、これをディスプレイ１６に表示し、そして通信端末１の操作エレメント１５によってざっと見て、場合によっては利用可能な暗号化された再生された見本を再生し、望みのメディア・オブジェクトを操作エレメント１５によって選択し、少なくとも１つのオブジェクト識別名を含む対応するオブジェクト注文をセンタ３に伝達することを可能にするプログラム式ソフトウェア・モジュールである。注文モジュール１２１は例えば、ブラウザの形で、例えば直接アクセスのための、またはＷＡＰ（Ｗｉｒｅｌｅｓｓ  Ａｐｐｌｉｃａｔｉｏｎ  Ｐｒｏｔｏｃｏｌ）に基づくインターネットブラウザとして実行される。
【００３１】
センタ３では、受信されたオブジェクト注文は記憶され、注文されたメディア・オブジェクト６はセンタ３によって、センタ３を通じて決定された時点に当該の通信端末１に伝送される。本発明によれば、オブジェクト注文はセンタ３において受け取られ、どのメディア・オブジェクト６がセンタ３によって決められたどの時点に使用可能であるかに関する記載事項が、当該通信端末１に伝送される。当該通信端末１の注文モジュール１２１は、センタ３によって決められた時点を注文されたメディア・オブジェクト６の伝送のために受け取り、これを記憶し、記憶された時点に自動的にセンタ３と連絡を取り、ここで決められた時点に転送可能なメディア・オブジェクト６を受け取る。伝送のための時点はセンタ３によって、この際に利用された資源、例えば無線ネットワーク２の容量またはデータバンクあるいはセンタ３のファイル・サーバができるだけ最適に利用されるように決められる。メディア・オブジェクト６の引渡しとともに、同時にまたこのメディア・オブジェクトに割り当てられた第１鍵７も伝送することができ、またはこの鍵７は後述するように個別に伝送することができる。注文されたメディア・オブジェクト６の伝送はバックグラウンド処理として実行することができ、この際注文されたメディア・オブジェクト６は例えば電話通話と平行して個別のデータ・チャネルを通じて運送される。ここで、注文されたメディア・オブジェクト６を直ちに伝送することを要望することはユーザにとって可能にもすることができ、この際これは例えばより高い料金の対応賃率モデルによって接続できることに言及すべきである。
【００３２】
上述の注文モジュール１２１によるメディア・オブジェクト６の注文に対する代替案として、ユーザはまた例えばメディア・オブジェクト６を予約することができ、例えばこの場合、ユーザは自分が指定したメディア・オブジェクト６、例えば特定の芸術家のメディア・コンテンツ６２を有する最新のメディア・オブジェクト６を、時間的に限られた予約で、または時間の制限なしにセンタ３のドライブによる取消しまで要求する。
【００３３】
センタ３へのリターン・チャネルのために、ラジオ・モジュール１８は、無心ネットワーク２を通じてセンタ３と通信するために適用な送信機および別の構成部分を自由に使用することができ、例えばラジオ・モジュール１８は移動無線電話通信モジュールの機能性を、例えばＧＳＭネットワークまたはＵＭＴＳネットワークを通じてセンタ３と直接双方向に通信するため、もしくはインターネット・サービス・プロバイダを通じてインターネットに接続されたセンタ３を利用するために、ＧＳＭモジュールまたはＵＭＴＳモジュールを自由に使う。
【００３４】
鍵取り寄せモジュール１２２はさらに別のプログラム式ソフトウェア・モジュールであり、このモジュールは、当該メディア・オブジェクト６に割り当てられてこの当該メディア・オブジェクト６のメディア・コンテンツ６２′の解読に必要な上述の第１鍵７を上述の鍵サーバ３′から取り寄せることを可能にし、この場合、鍵取り寄せモジュール１２２はこのために、上述の公開第２鍵９を鍵サーバ３′に伝送することができる。このために例えば、取り寄せたメディア・オブジェクト６のために、自動的にこのメディア・オブジェクト６に割り当てられた第１鍵７、およびこの暗号化された鍵７′とともにまたは個別に転送されるこのメディア・オブジェクト６のための使用条件８についての記載事項を取り寄せるために、注文モジュール１２２は鍵モジュール１２３を使用することができ、この際、当該メディア・オブジェクト６のオブジェクト情報６１の中に記憶された所轄の鍵サーバ３′に関する記載事項が使用される。第１鍵７の当該メディア・オブジェクト６への割当ては、例えば、鍵取り寄せモジュール１２２が注文モジュール１２１によって保存されるオブジェクト識別名を鍵サーバ３′に伝送し、上述のように解読される対応するトランザクションの中で鍵サーバ３′によって保持される第１鍵７′を通信端末１における再生の際に、当該メディア・オブジェクト６に割り当てるように、起こることができる。さらに別の変形実施形態では、第１鍵７とともに例えば鍵７の構成要素として、鍵７がセンタ３において割り当てられるメディア・オブジェクト６のオブジェクト識別名を、通信端末１に転送することができる。
【００３５】
オブジェクト管理モジュール１２４は、メモリ１２の中に記憶されたメディア・オブジェクト６を管理するために、通信端末１のユーザが例えば操作エレメント１５を用いて起動させることのできる、さらに別のクログラムされたソフトウェア・モジュールである。オブジェクト管理モジュール１２４の制御は、ユーザによって通信端末１操作エレメント１５によって、例えば通信端末１のディスプレイ１６において表示されるメニュー・オプションを用いて行われる。オブジェクト管理モジュール１２４は、例えば記憶されたメディア・オブジェクト６の列挙および分類、ならびにその再生および消去のための列挙されたメディア・オブジェクト６の選択を可能にする。オブジェクト管理モジュール１２４は、例えば選択されたメディア・オブジェクト６をラジオ・モジュール１８または図示されていない有線または無線のインターフェイスによって第２通信端末１に転送するために、プログラム式転送機能も含み、この際、この転送ではメディア・オブジェクト６のメディア・コンテンツ６２は暗号化されたままで、第１のこのメディア・オブジェクトに割り当てられた鍵７は第２通信端末１によって、前述のように鍵サーバ３′から取り寄せなければならない。上述の無線インターフェイスは例えば赤外線インターフェイス、例えば高速赤外線（ＨＳＩＲ）インターフェイスまたはＩｒＤＡインターフェイス（Ｉｎｆｒａｒｅｄ  Ｄａｔａ  Ａｓｓｏｃｉａｔｉｏｎ）、誘導インターフェイス、例えば無線周波数識別（ＲＦＩＤ）インターフェイス、ホームＲＦ（無線周波数）インターフェイス、欧州ディジタル・コードレスフォン（ＤＥＣＴ）インターフェイスまたはその他のコードレス遠隔通信システム（ＣＴＳ）インターフェイス、または高周波無線インターフェイス、例えばいわゆる「ブルートゥース・インターフェイス」を通じて行われる。
【００３６】
あるメディア・オブジェクト６が再生のために選択された場合には、選択されたメディア・オブジェクト６のメディア・コンテンツ６２′、ならびにこのメディア・オブジェクト６に割り当てられた暗号化されている第１鍵７′または対応する解読された第１鍵７″は解読モジュール１４に引き渡される。ここで、解読された第１鍵７″の解読モジュール１４への引渡しは、鍵７″が不当に読まれたりコピーされたりできないように保護されて行われることに言及すべきである。例えば、暗号化された第１鍵７′のみが通信端末１に、例えばチップカード５に記憶されることが可能であり、そしてその都度上述のように解読モジュール１４への引渡しの前に、第２解読機能５９において解読されることが可能である。解読された第１鍵７″の解読モジュール１４への保護された引渡しは、例えばさらに別の暗号化によって、または解読モジュール１４の外側から解読された鍵７″を読むことができないように第２解読機能５９を直接解読モジュール１４において行うことによって起る。
【００３７】
ここで、メディア・オブジェクト６は例えばユーザが選ぶことのできる特別のモードで、通信端末１において受け入れる際にオブジェクトとして記憶されるのではなく、このメディア・コンテンツ６２′は再生のためのバッファ・メモリを通じて解読モジュール１４に導かれ（このメディア・オブジェクト６に割り当てられた暗号化されている第１鍵７′または対応する解読された第１鍵７″とともに）、この際、無線ネットワーク２の転送速度または容量が十分であれば、この特別のストリーム様式のみが実行可能である。
【００３８】
メディア・オブジェクト６の購入と再生の決済のためには、前払いまたは後払いを許すさまざまな変形がある。例えば、上述のチップカード５は前払いされた金額５１を含むことができ、この金額から例えば各メディア・オブジェクト６または各第１鍵７の購入の際に、およびメディア・オブジェクト６の各再生の際に、もしくは第１鍵７″の各利用の際に、例えば前述のオブジェクト情報６１または利用条件８の中に含まれる価格表に対応する額が引き去られる。この仕事および負担は、例えば決済モジュール１２３つまりプログラム式ソフトウェア・モジュールによって実施することができる。しかしこの決済モジュール１２３は、課すべき金額が例えばラジオ・モジュール８によって図示されていない決済ユニットに、書面による会計処理を通じたさらなる決済のために例えば電話請求書の一部として、または銀行口座の借方記入を通じてさらに回されるように、実施することもできる。
【００３９】
メディア・オブジェクト６の著作権に関するライセンス料金の決済については、通信端末１における各メディア・オブジェクトの再生が、例えばライセンス・モジュール５２における該当するプログラム式ソフトウェア機能によって計算され、このソフトウェア機能は例えばチップカード５に記憶され、この中に確かめた再生回数をユーザが上書きすることはできない。この計算は各メディア・オブジェクト６について、例えば第１鍵７″を利用する度に固有に行われ、この利用は例えば解読モジュール１４からライセンス・モジュール５２に伝えられる。伝えられた再生回数は、例えば定期的に、例えば毎日、または所定の支払い期に達する度に、例えばラジオ・モジュール１８によって、さらなる処理のために、センタ３または個別のコンピュータにおいて実行されるライセンス・サーバ４に伝送される。
【００４０】
決済すべき金額はまた、ユーザが実際に行った再生時間についてのみ課されるように、有効再生持続時間に関連付けることができる。この有効再生持続時間を間違いなく決定するために、通信端末１のユーザが操作できない時間参照、およびユーザが上書きできない保護されたメモリ領域が必要である。
【００４１】
当業者には、データ、特にメディア・オブジェクト６および鍵の記憶、およびプログラム式ソフトウェア機能とモジュールの記憶を通信端末１において組織化すること、すなわちさまざまな記憶手段１２に分割すること、プログラム式ソフトウェア機能およびソフトウェア・モジュールをその実施のために、さまざまな処理手段１１すなわちさまざまな多くの可能なプロセッサに配分することに、さまざまな可能性があることが理解されよう。
【００４２】
鍵および／またはメディア・オブジェクト、ならびにこのメディア・オブジェクトの再生についての決済の他に、本発明による通信端末１を販売するかまたは賃貸すること、または従来の通信端末用の、例えば移動無線電話またはラップトップコンピュータまたは掌上コンピュータ用の拡張モジュールを販売することも関心事となる可能性があり、この拡張モジュールは例えばチップカードの形でこのような従来の通信端末を、本発明による通信端末１のように設置できるように拡張する。また、プログラム式ソフトウェア・モジュールが記憶されたデータ・キャリアを放逐し、ソフトウェア・モジュールが前述のセンタ３、鍵サーバ３′、およびライセンス・サーバ４のように設置できるように、このソフトウェアが従来の通信サーバを制御することにも関心を寄せることができる。
【符号の説明】
【００４３】
１  通信端末
２  無線ネットワーク（移動無線ネットワーク）
３  センタ
３′鍵サーバ
４  ライセンス・サーバ
５  チップカード（ＳＩＭカード）
６  メディア・オブジェクト
７  第１鍵
７′暗号化された第１鍵
７″記憶されて解読された第１鍵
８  使用条件（使用権、価格表）
９  公開第２鍵
９′専用第３鍵
１１  処理手段（プロセッサ）
１２  記憶手段
１３  メデイア再生モジュール
１４  解読モジュール
１５  操作エレメント
１６  ディスプレイ
１７  音響変換機
１８  ラジオ・モジュール
５１  前払いされた金額
５２  ライセンス・モジュール
５９  第２解読機能
６１  オブジェクト情報
６２  メディア・コンテンツ
６２′暗号化されたメディア・コンテンツ
７０  第１暗号化機能
９０  第２暗号化機能
１２１  注文モジュール
１２２  鍵取り寄せモジュール
１２３  決済モジュール
１２４  オブジェクト管理モジュール
【図１】
2010182294.tif 000003
【図２】
2010182294.tif 000004